(57)【要約】  【課題】自分撮りの際における操作性およびホールド性を向上させることができる撮像装置および入力制御方法を提供する。  【解決手段】筺体に対して可動自在とされた表示部と、表示部が自分撮り状態であるか否かを検出する検出部と、筺体の上面側から操作容易な位置に配置された第１の入力部と、筺体の底面側から操作容易な位置に配置された第２の入力部と、表示部が自分撮り状態であるか否かに応じて、シャッターボタンとしての機能が有効とされるか否かを、第１の入力部および第２の入力部の間で相互に切り替える制御部とを備えた撮像装置である。【選択図】図１
2013219537.tif 000002
【特許請求の範囲】
【請求項１】
筺体に対して可動自在とされた表示部と、
前記表示部が自分撮り状態であるか否かを検出する検出部と、
前記筺体の上面側から操作容易な位置に配置された第１の入力部と、
前記筺体の底面側から操作容易な位置に配置された第２の入力部と、
前記表示部が前記自分撮り状態であるか否かに応じて、シャッターボタンとしての機能が有効とされるか否かを、前記第１の入力部および前記第２の入力部の間で相互に切り替える制御部とを備えた撮像装置。
【請求項２】
前記検出部が、前記筺体に対する前記表示部の配置に基づいて、前記表示部が前記自分撮り状態であるか否かを検出する
請求項１に記載の撮像装置。
【請求項３】
前記検出部により、前記表示部が前記自分撮り状態であることが検出されないときに、
前記制御部は、前記第２の入力部に対して、シャッターボタンとしての機能とは異なる機能を割り当てる
請求項１に記載の撮像装置。
【請求項４】
前記検出部により、前記表示部が前記自分撮り状態であることが検出されたときに、
前記制御部は、前記第１の入力部に対して、シャッターボタンとしての機能とは異なる機能を割り当てる
請求項１に記載の撮像装置。
【請求項５】
前記制御部は、前記表示部が前記自分撮り状態でないときに、前記第２の入力部に対する操作を無効とする
請求項１に記載の撮像装置。
【請求項６】
前記検出部が、重力加速度に基づいて前記自分撮り状態であるか否かを検出する
請求項１に記載の撮像装置。
【請求項７】
前記検出部が、前記筺体の角度に基づいて前記自分撮り状態であるか否かを検出する
請求項１に記載の撮像装置。
【請求項８】
前記第２の入力部が、前記筺体の前記底面側に配置されたボタンである
請求項１に記載の撮像装置。
【請求項９】
筺体に対して可動自在とされた表示部が自分撮り状態であるか否かを検出し、
前記表示部が前記自分撮り状態であるか否かに応じて、シャッターボタンとしての機能が有効とされるか否かを、前記筺体の上面側から操作容易な位置に配置された第１の入力部および前記筺体の底面側から操作容易な位置に配置された第２の入力部の間で相互に切り替える入力制御方法。
【発明の詳細な説明】
【技術分野】
【０００１】
本技術は、撮像装置および入力制御方法に関する。
【背景技術】
【０００２】
ユーザはカメラを用いて所望の被写体を撮影する他に、自分自身を撮影するいわゆる自分撮りを行う場合がある。自分撮りを行うには、ユーザはカメラを手で持ち、レンズを自分の方向に向けて撮像を行う。しかし、スルー画が表示される表示画面は通常、レンズとは反対の方向に設けられているため、ユーザは、自分自身がカメラの画枠に収まっているか否かを確認することが難しい。
【０００３】
可動式液晶モニターにより自分撮りを可能としたカメラが提案されている（特許文献１）。
【先行技術文献】
【特許文献】
【０００４】
【特許文献１】特開２０１１−１２４９０２号公報
【発明の概要】
【発明が解決しようとする課題】
【０００５】
ところで、カメラは、多くの場合、右利きのユーザを想定して設計されており、シャッターボタンは、右手で把持するグリップ上に設けられている。そうすると、自分撮りを行う場合には、レンズを自分の方向に向けた状態で撮像が行われることから、ユーザは、グリップを左手で把持する必要がある。
【０００６】
しかしながら、グリップを左手で把持する必要が生じるために、右利きのユーザにとっては、安定してカメラを把持する事が困難となるとともに、シャッターボタンの操作性が損なわれてしまう。
【０００７】
したがって、本技術の目的は、自分撮りの際における操作性およびホールド性を向上させることができる撮像装置および入力制御方法を提供することにある。
【課題を解決するための手段】
【０００８】
上述した課題を解決するために、第１の技術は、筺体に対して可動自在とされた表示部と、表示部が自分撮り状態であるか否かを検出する検出部と、筺体の上面側から操作容易な位置に配置された第１の入力部と、筺体の底面側から操作容易な位置に配置された第２の入力部と、表示部が自分撮り状態であるか否かに応じて、シャッターボタンとしての機能が有効とされるか否かを、第１の入力部および第２の入力部の間で相互に切り替える制御部とを備えた撮像装置である。
【０００９】
第２の技術は、筺体に対して可動自在とされた表示部が自分撮り状態であるか否かを検出し、表示部が自分撮り状態であるか否かに応じて、シャッターボタンとしての機能が有効とされるか否かを、筺体の上面側から操作容易な位置に配置された第１の入力部および筺体の底面側から操作容易な位置に配置された第２の入力部の間で相互に切り替える入力制御方法である。
【発明の効果】
【００１０】
本技術によれば、自分撮りの際における、撮像装置のホールド性を向上させることができる。
【図面の簡単な説明】
【００１１】
【図１】図１は、本技術の実施形態に係る撮像装置の概略構成を示すブロック図である。
【図２】図２Ａは、本技術の実施形態に係る撮像装置の外観構成を示す正面図である。図２Ｂは、本技術の実施形態に係る撮像装置の外観構成を示す背面図である。図２Ｃは、本技術の実施形態に係る撮像装置の外観構成を示す底面図である。
【図３】図３Ａは、撮像装置の筺体に対してモニターを回転させて、表示面を被写体の側に向けた状態を示す斜視図である。図３Ｂは、図３Ａに示す状態から撮像装置を上下反転させた状態を示す斜視図である。
【図４】図４Ａは、第１のボタンおよび第２のボタンの配置の例を示す図である。図４Ｂは、モニターのチルト機構を説明するための図である。
【図５】図５Ａは、自分撮りにおける処理の流れの一例を示すフローチャートである。図５Ｂは、自分撮りにおける処理の流れの他の一例を示すフローチャートである。
【図６】図６Ａおよび図６Ｂは、自分撮りにおける処理の流れの他の一例を示すフローチャートである。
【発明を実施するための形態】
【００１２】
以下、本技術の実施の形態について図面を参照しながら説明する。なお、説明は以下の順序で行う。
＜１．用語の定義＞
＜２．実施の形態＞
［２−１．撮像装置の構成］
［２−２．撮像装置により行われる処理］
「２−２−１．自分撮り状態の検出」
「２−２−２．自分撮りの際に行われる処理」
＜３．変形例＞
【００１３】
＜１．用語の定義＞
まず、本技術の実施の形態の説明に先立ち、本明細書で用いる用語の定義について説明する。
【００１４】
「自分撮り」とは、ユーザが撮像装置のレンズを自分自身に向けて自らを被写体として撮像を行うことである。また、ユーザが一人で行う場合に限られず、複数人が被写体となり、その複数人のうちのいずれか一人が撮像装置を手に持って行う場合も含むものである。「撮像」とは、撮像装置において、撮像素子が像を表す光を受光して電気信号に変換することを意味する。「画枠」とは、撮像素子の有効領域により撮像される全領域または全領域よりも若干小さい領域を表す。
【００１５】
＜２．実施の形態＞
［２−１．撮像装置の構成］
以下では、本技術の表示制御装置の適用された撮像装置を例にとって説明する。撮像装置としては、具体的には、例えば、デジタルカメラが挙げられる。
【００１６】
図１は、本技術の実施形態に係る撮像装置１０の概略構成を示すブロック図である。
【００１７】
撮像装置１０は、光学撮像系１１、撮像素子１２、タイミングジェネレータ１３、前処理回路１４、カメラ処理回路１５、画像メモリ１６、制御部１７、Ｒ／Ｗ（リーダ／ライタ）１９、記憶媒体２１、表示部１、検出部２、第１の入力部３および第２の入力部４から構成されている。これらのうち、光学撮像系１１、タイミングジェネレータ１３、前処理回路１４、カメラ処理回路１５、画像メモリ１６、Ｒ／Ｗ１９、表示部１、検出部２、第１の入力部３および第２の入力部４は制御部１７に接続されている。また、制御部１７は、少なくとも第１の入力部３および第２の入力部４のそれぞれに割り当てられる機能の有効および無効を切り替えるための切り替え制御部１８を備えている。
【００１８】
光学撮像系１１は、被写体からの光を撮像素子１２に集光するためのレンズ、レンズを移動させてフォーカス合わせやズーミングを行うための駆動機構、シャッタ機構、アイリス機構などから構成されている。これらは制御部１７からの制御信号に基づいて駆動される。光学撮像系１１を介して得られた被写体の光画像は、撮像デバイスとしての撮像素子１２上に結像される。
【００１９】
撮像素子１２は、タイミングジェネレータ１３から出力されるタイミング信号に基づいて駆動され、被写体からの入射光を光電変換して電荷量に変換し、アナログ撮像信号として出力する。撮像素子１２から出力されるアナログ撮像信号は前処理回路１４に出力される。撮像素子１２としては、ＣＣＤ（Charge Coupled Device）、ＣＭＯＳ（Complementary Metal Oxide Semiconductor）などが用いられる。タイミングジェネレータ１３は、制御部１７の制御に従い撮像素子１２に対してタイミング信号を出力する。
【００２０】
前処理回路１４は、撮像素子１２から出力されたアナログ撮像信号に対して、ＣＤＳ（Correlated Double Sampling）処理によりＳ／Ｎ（Signal／Noise）比を良好に保つようにサンプルホールドなどを行う。さらに、ＡＧＣ（Auto Gain Control）処理により利得を制御し、Ａ／Ｄ（Analog/Digital）変換を行ってデジタル画像信号を出力する。
【００２１】
カメラ処理回路１５は、前処理回路１４からの画像信号に対して、ホワイトバランス調整処理や色補正処理、ガンマ補正処理、Ｙ／Ｃ変換処理、ＡＥ（Auto Exposure）処理などの信号処理を施す。
【００２２】
画像メモリ１６は、揮発性メモリ、例えば、ＤＲＡＭ（Dynamic Random Access Memory）で構成されるバッファメモリであり、前処理回路１４およびカメラ処理回路１５によって所定の処理が施された画像データを一時的に蓄えておくものである。
【００２３】
制御部１７は、例えばＣＰＵ（Central Processing Unit）、ＲＡＭ（Random Access Memory）およびＲＯＭ（Read-Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１０全体の制御を行う。また、制御部１７は、所定のプログラムを実行することにより、切り替え制御部１８として機能する。
【００２４】
Ｒ／Ｗ１９は、撮像により生成された画像データなどを記録する記憶媒体２１が接続されるインターフェースである。Ｒ／Ｗ１９は、制御部１７から供給されたデータを記憶媒体２１に書き込み、また、記憶媒体２１から読み出したデータを制御部１７に出力する。記憶媒体２１は、例えば、ハードディスク、メモリースティック（ソニー株式会社の登録商標）、ＳＤメモリーカードなどの大容量記憶媒体である。画像は例えばＪＰＥＧ（Joint Photographic Experts Group）などの規格に基づいて圧縮された状態で保存される。また、保存された画像に関する情報、撮像日時などの付加情報を含むＥＸＩＦ（Exchangeable Image File Format）データもその画像に対応付けられて保存される。ＥＸＩＦデータには、例えば、各画像情報の記録時における撮像装置１０の姿勢に関する情報も含まれている。したがって、ＥＸＩＦデータには、例えば、撮像装置１０が横向きに保持されていたか、または縦向きに保持されていたかに関する情報も含まれている。
【００２５】
表示部１は、例えば、ＬＣＤ（Liquid Crystal Display）、ＰＤＰ(Plasma Display Panel)、有機ＥＬ(Electro Luminescence)パネルなどにより構成される。表示部１には、撮像中のスルー画、記憶媒体２１に記録された画像などが表示される。
【００２６】
検出部２は、表示部１が自分撮り状態であるか否かを検出するためのセンサを備える。表示部１が自分撮り状態であるか否かの検出の方法は、特に限定されるものではないが、例えば、機械的方法、電磁気的方法などが挙げられる。センサによる検出結果は、制御部１７に送られる。
【００２７】
検出部２が、撮像装置１０の姿勢を検出するためのセンサをさらに備えていてもよい。撮像装置１０の姿勢を検出するためのセンサとしては、加速度センサやジャイロセンサなどが挙げられる。または、例えば、角度センサや、いわゆる縦横センサにより撮像装置１０の筺体の角度を検出するようにしてもよい。縦横センサは、スロットの内部に配置されたボールが、スロットの内側のどの面に接触しているかを検出することにより、撮像装置１０の筺体の角度を検出するセンサである。
【００２８】
第１の入力部３は、例えば、撮像装置１０に配置された一群の機能ボタンのうちの１つである。第２の入力部４は、第１の入力部３と同様に、例えば、撮像装置１０に配置された一群の機能ボタンのうちの１つである。一群の機能ボタンには、例えば、電源オン／オフ切り替えのための電源ボタンや、ズーム調整用の操作子などが含まれる。この場合、一群の機能ボタンは、シャッターボタンとして機能するボタンを含む２以上のボタンの集合となる。例えば、撮像装置１０にタッチパネルを配置する場合などには、電源のオン／オフや、ズーム調整などの機能をタッチパネルに対する操作により実現できるため、撮像装置に配置される機能ボタンが１つであってもよい。
【００２９】
例えば、表示部１が自分撮り状態でないときには、第１の入力部３に、撮像画像の記録の開始を指示するためのシャッターボタンとしての機能が割り当てられる。例えば、検出部２により、表示部１が自分撮り状態であることが検出されたときには、第２の入力部４に、シャッターボタンとしての機能が割り当てられる。このように、例えば、表示部１が自分撮り状態であるか否かに応じて、シャッターボタンとしての機能が有効とされるか否かが、第１の入力部３および第２の入力部４の間で相互に切り替えられる。第１の入力部３および第２の入力部４の間における、シャッターボタンとしての機能の有効および無効の切り替えは、制御部１７が所定のプログラムを実行することにより実行される。
【００３０】
図２は、本技術の実施形態に係る撮像装置１０の外観構成を示す図である。図２Ａは正面図、図２Ｂは背面図、図２Ｃは底面図である。
【００３１】
撮像装置１０の本体部５は、横長の略直方体状に形成されている。撮像装置１０の本体部５の前面には、例えば、撮像レンズ７を備える交換可能なレンズユニット８が装着され、したがって、撮像装置１０の本体部５に対して、レンズユニット８が被写体の方向に向けて突出している。ユーザは撮像レンズ７を自分の方向に向けて自分撮りを行う。
【００３２】
また、図２Ａおよび図２Ｃに示すように、例えば、本体部５の筺体６のうち、撮像レンズ７の紙面上で左側の部分は、被写体の方向に向けて突出するようにして厚みが大きくされる。すなわち、本体部５の筺体６のうち、ユーザが撮像装置１０を右手で保持した状態において、ユーザが右手でつかむ部分は、他の部分と比べて厚くされている。撮像装置１０の使用時にユーザが撮像装置１０をつかむ部分を他の部分と比べて厚くしておくことにより、ユーザは指を伸ばさずに撮像装置１０を保持することができるため、ユーザによる撮像装置１０のホールド性が向上する。なお、以下では、筺体６のうち、厚みの大きくされた部分をグリップ部Ｇと適宜称する。
【００３３】
撮像装置１０の例えば上面には、撮像時にユーザにより押圧操作される第１のボタン２３が設けられている。第１のボタン２３は、ブロック図における第１の入力部３に相当し、例えば、グリップ部Ｇの上面に設けられる。
【００３４】
表示部１が自分撮り状態でないとき、第１のボタン２３には、シャッターボタンとしての機能が割り当てられている。したがって、表示部１が自分撮り状態でない場合において、第１のボタン２３は、例えば、オートフォーカス用、被写体検出用の検出指示用、レリーズ指示入力用およびその他の指示用の入力機能を有する。表示部１が自分撮り状態でない場合において、例えば、第１のボタン２３を途中まで押下（半押し）することで検出指示が入力され、第１のボタン２３を最後まで押下（全押し）することで、レリーズ指示が入力される。
【００３５】
撮像装置１０の背面にはモニター２２が設けられている。モニター２２は、ブロック図における表示部１に相当し、ＬＣＤ、ＰＤＰ、有機ＥＬパネルなどからなる。モニター２２には、スルー画、撮像により得られた画像、ユーザインターフェース画像などが表示される。後述するように、モニター２２は、例えば、筺体６に対して回転可能に接続されている。
【００３６】
また、撮像装置１０の背面には、例えば、１以上の機能ボタン９が配置されている。例えば、電源オン／オフ切り替えのための電源ボタン９ａ、撮影モード切り替えボタン９ｂ、十字キー９ｃ、ズーム倍率切り替えボタン９ｄ、フラッシュのオン／オフ切り替えボタン９ｅなどが、撮像装置１０の背面に配置される。
【００３７】
撮像装置１０の例えば底面には、第２のボタン２４が設けられている。第２のボタン２４は、ブロック図における第２の入力部４に相当する。第２のボタン２４には、表示部１が自分撮り状態であることが検出されたときに、シャッターボタンとしての機能が割り当てられる。すなわち、第２のボタン２４は、自分撮りの際に、シャッターボタンとしてユーザにより押圧操作されるボタンである。
【００３８】
第２のボタン２４は、例えば、グリップ部Ｇの底面に設けられる。第２のボタン２４をグリップ部Ｇの底面に設けた場合、右利きのユーザは、撮像装置１０の上下を反転させることにより、撮像装置１０のグリップ部Ｇを右手で把持することができる。このとき、ユーザは、比較的厚みのあるグリップ部Ｇを利き手で把持することになるので、ユーザが撮像装置１０を片手で保持する場合であっても、撮像装置１０のホールド性が損なわれることがない。さらに、第２のボタン２４をシャッターボタンとして使用することにより、ユーザは、利き手で撮像装置１０を保持しながら、撮像装置１０に対して利き手でレリーズ指示を与えることができるため、撮像装置１０の操作性も向上する。
【００３９】
第２のボタン２４の配置は、グリップ部Ｇに限られない。例えば、撮像装置１０の本体部５が全体として横長の略直方体状に形成されて、筺体６がグリップ部Ｇを備えない場合、例えば、撮像装置１０の底面に第２のボタン２４が配置されてもよい。グリップ部Ｇや筺体６の底面に第２のボタン２４の配置した場合には、撮像装置１０を上下反転させて把持した状態で上下方向への指の動作で操作できる位置に第２のボタン２４が配置されることになるため、撮像装置１０の操作性が向上する。
【００４０】
また、例えば、表示部１が自分撮り状態であることが検出されたときに、撮像装置１０に配置された一群の機能ボタンのうちの１つに対して、撮像画像の記録の開始を指示するためのシャッターボタンとしての機能を割り当てるようにしてもよい。このようにすることで、専用のボタンを用意する必要がなく、撮像装置に使用される部品の数を増加させずに、自分撮りの際における撮像装置の操作性を向上させることができる。
【００４１】
なお、第２のボタン２４を撮像装置１０の底面に設ける場合には、第２のボタン２４が筺体６に対して外側に突出しないことが好ましい。例えば、第２のボタン２４の周辺が凹部として形成されていることが好ましい。撮像装置１０の底面を下にして机などの上に撮像装置１０を置いたときに、意図せず第２のボタン２４が押下されることが防止でき、撮像装置１０の誤動作を防止できるからである。
【００４２】
図３は、撮像装置１０の筺体に対してモニター２２を回転させて、表示面を被写体の側に向けた状態を示す斜視図である。図３Ｂは、図３Ａに示す状態から撮像装置１０を上下反転させた状態を示している。
【００４３】
モニター２２を回転させて表示面を被写体の側に向けることにより、ユーザは、撮像レンズ７を自分自身に向け、自分を含めた被写体のスルー画を確認しながら、撮影を行うことができる。
【００４４】
ところが、ユーザが撮像レンズ７を自分自身に向けると、ユーザから見て左側にグリップ部Ｇが位置することになる。そのため、ユーザが右利きであると、自分撮りをする際に左手で撮像装置１０を把持しなければならず、撮像装置１０のホールド性および操作性が低下してしまう。
【００４５】
そこで、本技術では、自分撮り時にシャッターボタンとして機能させることのできる第２のボタン２４を撮像装置１０に設け、例えばグリップ部Ｇの底面に第２のボタン２４を配置するようにしている。そのため、ユーザが撮像装置１０の上下を入れ替えて右手で撮像装置１０を把持するようにすることで、自分撮りの際においても、ユーザは右手で撮像装置１０を把持しながら撮像装置１０を操作することができる。
【００４６】
なお、図３Ａおよび図３Ｂでは、モニター２２を回転させた状態において、モニター２２が本体部５の上面側に現れる例を示したが、モニター２２が横方向に回転させられることにより、モニター２２が本体部５の側面側に現れるようにしてもよい。
【００４７】
図４Ａは、第１のボタン２３および第２のボタン２４の配置の例を示す図である。第１のボタン２３は、例えば、筺体６の上面側から操作容易な位置に配置され、第２のボタン２４は、例えば、筺体６の底面側から操作容易な位置に配置される。第１のボタン２３および第２のボタン２４をグリップ部Ｇに配置する場合には、図４Ａにおいて矢印Ｓにより示すように、第２のボタン２４が、第１のボタン２３の直下からずれた位置とされることが好ましい。人差し指によりレリーズ指示を与える場合、自分撮りの際におけるユーザの人差し指は、撮像装置１０を上下反転させる前の状態に対して、撮像装置１０の背面に近い場所に位置することになるからである。
【００４８】
なお、図４Ａに破線により示すように、例えば、モニター２２を回転させて表示面を被写体の側に向けたときに、第２のボタン２４がユーザが操作可能な状態となるよう筺体の表面に現れるようにしてもよい。このようにすることで、自分撮りを行わないときの、第２のボタン２４の誤操作を防止することができる。このように、撮像装置１０の背面など、筺体６の底面以外の場所に第２のボタン２４が配置されていてもよい。
【００４９】
［２−２．撮像装置により行われる処理］
「２−２−１．自分撮り状態の検出」
次に、撮像装置１０における、ユーザが自分撮りを行おうとしているか否かの判断について説明する。ユーザが自分撮りを行おうとしているか否かは、例えば、表示部１が自分撮り状態であるか否かにより判断される。
【００５０】
図４Ｂは、モニター２２のチルト機構を説明するための図である。モニター２２は、筺体６に対して可動自在とされている。すなわち、モニター２２は、例えば回転アームやヒンジなどにより、図４Ｂにおいて矢印Ｒにより示すように、筺体６に対して回転自在に接続される。
【００５１】
モニター２２が、例えば回転アーム２５により、筺体６に対して回転可能に接続されている場合、例えば、回転アーム２５の回転角度を検出することにより、筺体６に対して、モニター２２がどの程度回転させられたかを知ることができる。または、例えば、筺体６およびモニター２２に電気的接点を設けておいたり、筺体６またはモニター２２の一方にノッチを設けておいたりして、筺体６に対するモニター２２の接触を検出するようにしてもよい。
【００５２】
筺体６に対してモニター２２が回転可能に接続されている場合、モニター２２の表示面と、撮像素子１２の撮像面とがともに被写体に向けられていれば、ユーザが自らを被写体に含めようとしていると考えられる。すなわち、このとき、表示部１が自分撮り状態であると判断することができる。したがって、この例では、筺体６に対する表示部１の配置に基づいて、表示部１が自分撮り状態であるか否かが、検出部２に検出されることになる。
【００５３】
なお、第１のボタン２３および第２のボタン２４がグリップ部Ｇの上面および底面にそれぞれ配置される場合には、自分撮りの際に、撮像装置１０の上下が反転されていると考えられる。したがって、モニター２２の表示面と、撮像素子１２の撮像面とがともに被写体に向けられており、かつ撮像装置１０の上下が反転されている場合には、ユーザが自分撮りを行おうとしている可能性がきわめて高い。
【００５４】
そのため、検出部２が、撮像装置１０の姿勢をさらに検出するようにしてもよい。撮像装置１０の姿勢を検出するためのセンサとして加速度センサが適用される場合、検出部２は、重力加速度に基づいて、表示部１が自分撮り状態であるか否かを検出することになる。例えば、筺体６の上面から底面に向かう方向とは逆方向に重力相当の加速度が作用していることが検出された場合には、撮像装置１０の上下が反転されていると判断することができる。
【００５５】
「２−２−２．自分撮りの際に行われる処理」
本技術では、通常の撮影形態においてシャッターボタンとして機能する第１のボタン２３が、例えばグリップ部Ｇの上面に設けられるとともに、自分撮り時にシャッターボタンとして機能する第２のボタン２４が、例えばグリップ部Ｇの底面に設けられる。第２のボタン２４に対する操作は、撮像装置１０を通常の状態で使用している間は無効とされ、ユーザが自分撮りを行おうとしていると判断された場合にのみ有効とされる。
【００５６】
図５Ａは、自分撮りにおける処理の流れの一例を示すフローチャートである。まず、ステップＳ１で表示部１が自分撮り状態であるか否かが、判断される。例えば、検出部２が、モニター２２と本体部５の筺体６との接触を検出するセンサを含む場合、該センサがオンになったか否かの判定がなされる。
【００５７】
該センサがオンの場合には、ユーザが自分撮りを行っていると判断され、ステップＳ２で、無効とされていた第２のボタン２４が、有効とされる。すなわち、第２のボタン２４に対して、シャッターボタンとしての機能が割り当てられることにより、ユーザが、第２のボタン２４をシャッターボタンとして使用することが可能とされる。
【００５８】
一方、該センサがオフの場合は、ユーザが自分撮りを行っていないと判断され、ステップＳ３で、第２のボタン２４が、無効とされる。
【００５９】
このように、本実施の形態によれば、表示部１が自分撮り状態であるか否かに応じて、シャッターボタンとしての機能が有効とされるか否かが、第１のボタン２３および第２のボタン２４の間で相互に切り替えられる。言い換えれば、表示部１が自分撮り状態であるときに、撮像装置に配置された２以上のボタンのうちのいずれかのボタンが、シャッターボタンに読み替えられる。
【００６０】
本技術の実施形態に係る撮像装置１０は、例えばグリップ部Ｇの上面および底面に、シャッターボタンとして機能させることが可能な第１のボタン２３および第２のボタン２４をそれぞれ備えている。ユーザが自分撮りを行わない場合、例えば、モニター２２の表示面が撮像レンズ７の向かう方向とは逆の方向に向けられている場合には、第２のボタン２４に対する操作は無効とされ、第１のボタン２３に対する操作が有効とされている。一方、モニター２２の表示面が撮像レンズ７の向かう方向と同じ方向に向けられている場合には、第２のボタン２４に対するレリーズ指示の操作が有効とされている。
【００６１】
そのため、自分撮り時に無理なく操作できる位置に第２のボタンが位置することとなり、ユーザは、通常のスタイルで撮影する時と同様に、右手でグリップ部Ｇを把持して、撮像装置１０の上側（すなわち、グリップ部Ｇの底面の側）にある第２のボタン２４を操作して、撮影を行うことができる。よって、自分撮りの際における撮像装置１０のホールド性および操作性が各段に向上し、ユーザは撮像レンズ７を所望する方向に向けることができ、したがって、ユーザは容易に自分撮りを行うことができる。
【００６２】
＜３．変形例＞
図５Ｂならびに図６Ａおよび図６Ｂは、自分撮りにおける処理の流れの他の一例を示すフローチャートである。
【００６３】
図５Ｂは、表示部１が自分撮り状態でないときに、第２のボタン２４にシャッターボタンとしての機能とは異なる機能を割り当てる処理の一例を示している。
【００６４】
まず、ステップＳ１１で表示部１が自分撮り状態であるか否かが、判断される。例えば、モニター２２と本体部５の筺体６との接触を検出するセンサがオンの場合には、ユーザが自分撮りを行っていると判断され、ステップＳ１２で、無効とされていた第２のボタン２４が、有効とされる。すなわち、第２のボタン２４に対して、シャッターボタンとしての機能が割り当てられる。
【００６５】
一方、該センサがオフの場合は、ユーザが自分撮りを行っていないと判断され、ステップＳ１３で、第２のボタン２４に、シャッターボタンとしての機能とは異なる機能が割り当てられる。シャッターボタンとしての機能とは異なる機能としては、例えば、十字キーの中央に配置されるボタンに割り当てられる機能や記録した画像データの再生の機能などが挙げられる。
【００６６】
このように、表示部１が自分撮り状態でないときにも、第２のボタン２４に対する操作に何らかの機能を割り当てておくことで、撮像装置１０に配置される一群のボタンを有効に活用することができる。
【００６７】
図６Ａは、表示部１が自分撮り状態であるときに、第１のボタン２３に対する操作を無効とする処理の一例を示している。
【００６８】
まず、ステップＳ２１で表示部１が自分撮り状態であるか否かが、判断される。例えば、モニター２２と本体部５の筺体６との接触を検出するセンサがオンの場合には、ユーザが自分撮りを行っていると判断され、ステップＳ２２で、無効とされていた第２のボタン２４が、有効とされる。さらに、ステップＳ２３で、第１のボタン２３が、無効とされる。
【００６９】
一方、該センサがオフの場合は、ユーザが自分撮りを行っていないと判断され、ステップＳ２４で、第２のボタン２４が、無効とされる。
【００７０】
このように、表示部１が自分撮り状態であるときに、第１のボタン２３に対する操作を無効とすることで、自分撮り時における誤操作を防止することができる。なお、センサがオンの場合に、第１のボタン２３に、シャッターボタンとしての機能とは異なる機能を割り当てるようにしておいてもよい。
【００７１】
図６Ｂは、表示部１が自分撮り状態であるときに、筺体６の背面に配置されたボタンの全部または一部、および第１のボタン２３に対する操作を無効とする処理の一例を示している。
【００７２】
まず、ステップＳ３１で表示部１が自分撮り状態であるか否かが、判断される。例えば、モニター２２と本体部５の筺体６との接触を検出するセンサがオンの場合には、ユーザが自分撮りを行っていると判断され、ステップＳ３２で、無効とされていた第２のボタン２４が、有効とされる。
【００７３】
さらに、ステップＳ３３で、第１のボタン２３に対する操作が無効とされるとともに、筺体６の背面に配置されたボタンの全部または一部に対する操作が無効とされる。これは、自分撮り時に、ユーザが撮像装置１０を上下反転させてグリップ部Ｇを右手で把持しようとすると、撮像装置１０の背面に配置された複数の機能ボタン９がユーザの右手の中指、薬指および小指に近い位置となるからである。
【００７４】
一方、該センサがオフの場合は、ユーザが自分撮りを行っていないと判断され、ステップＳ３４で、第２のボタン２４が、無効とされる。
【００７５】
このように、表示部１が自分撮り状態であるときに、ユーザの右手の中指、薬指および小指に近い位置にあるボタンに対する操作を無効にしておくことで、撮像装置１０の誤操作を防止することができる。
【００７６】
なお、本技術は以下のような構成も取ることができる。
【００７７】
（１）
筺体に対して可動自在とされた表示部と、
前記表示部が自分撮り状態であるか否かを検出する検出部と、
前記筺体の上面側から操作容易な位置に配置された第１の入力部と、
前記筺体の底面側から操作容易な位置に配置された第２の入力部と、
前記表示部が前記自分撮り状態であるか否かに応じて、シャッターボタンとしての機能が有効とされるか否かを、前記第１の入力部および前記第２の入力部の間で相互に切り替える制御部とを備えた撮像装置。
【００７８】
（２）
前記検出部が、前記筺体に対する前記表示部の配置に基づいて、前記表示部が前記自分撮り状態であるか否かを検出する
前記（１）に記載の撮像装置。
【００７９】
（３）
前記検出部により、前記表示部が前記自分撮り状態であることが検出されないときに、
前記制御部は、前記第２の入力部に対して、シャッターボタンとしての機能とは異なる機能を割り当てる
前記（１）または（２）に記載の撮像装置。
【００８０】
（４）
前記検出部により、前記表示部が前記自分撮り状態であることが検出されたときに、
前記制御部は、前記第１の入力部に対して、シャッターボタンとしての機能とは異なる機能を割り当てる
前記（１）から（３）のいずれかに記載の撮像装置。
【００８１】
（５）
前記制御部は、前記表示部が前記自分撮り状態でないときに、前記第２の入力部に対する操作を無効とする
前記（１）から（４）のいずれかに記載の撮像装置。
【００８２】
（６）
前記検出部が、重力加速度に基づいて前記自分撮り状態であるか否かを検出する
前記（１）から（５）のいずれかに記載の撮像装置。
【００８３】
（７）
前記検出部が、前記筺体の角度に基づいて前記自分撮り状態であるか否かを検出する
前記（１）から（５）のいずれかに記載の撮像装置。
【００８４】
（８）
前記第２の入力部が、前記筺体の前記底面側に配置されたボタンである
前記（１）から（７）のいずれかに記載の撮像装置。
【００８５】
（９）
筺体に対して可動自在とされた表示部が自分撮り状態であるか否かを検出し、
前記表示部が前記自分撮り状態であるか否かに応じて、シャッターボタンとしての機能が有効とされるか否かを、前記筺体の上面側から操作容易な位置に配置された第１の入力部および前記筺体の底面側から操作容易な位置に配置された第２の入力部の間で相互に切り替える入力制御方法。
【符号の説明】
【００８６】
１・・・・表示部
２・・・・検出部
３・・・・第１の入力部
４・・・・第２の入力部
５・・・・本体部
６・・・・筺体
７・・・・撮像レンズ
９・・・・機能ボタン
１０・・・撮像装置
１７・・・制御部
１８・・・切り替え制御部
２１・・・記憶媒体
２２・・・モニター
２３・・・第１のボタン
２４・・・第２のボタン
【図１】
2013219537.tif 000003
【図２】
2013219537.tif 000004
【図３】
2013219537.tif 000005
【図４】
2013219537.tif 000006
【図５】
2013219537.tif 000007
【図６】
2013219537.tif 000008